(57)【要約】【目的】  新築・既存の建物に関係なく、屋根裏の温度を下げることが出来る、屋根裏換気システムを提供する。【構成】  屋根裏の熱せられた空気を、効率よく排出し、熱伝導を防ぐために、屋根裏を断熱材で一次空気層と二次空気層の二つに分け体積の少なくなった一次空気層の棟の熱溜りの空気を換気扇にて吸気ダクトで引き出し、排出する。この時、換気扇に空気が吸引されるので周囲の吸気孔からは新鮮空気が入り屋根裏の温度を低下させる。よって、断熱材で分けられた下の二次空気層の温度は更に低下する。よって居室への幅射熱はほとんどない状態になるよう形成されているのが屋根裏換気システムの構成である。【選択図】図２
2010014394.tif 000002
【特許請求の範囲】
【請求項１】
太陽熱による屋根の温度上昇による、屋根裏の熱気を屋外に排出するシステムであって、屋根裏には断熱材を貼り、屋根裏の最上部には、屋根で熱せられた空気が集まるスペースをとる（一次空気層）。かつそのスペースの中より吸引ダクトを通して熱気を換気扇で引き出し、排出ダクトを通して屋外に排出するために、軒天や屋根タルキの間の面戸板等には外気が入ってくるように吸気孔がある。このとき屋根裏の断熱材により、屋根裏が温度の異なる一次空気層と二次空気層に分けられている屋根裏換気システム。
【発明の詳細な説明】
【発明の詳細な説明】
【産業上の利用分野】
【０００１】  本発明は屋根裏換気システムには、屋根裏に断熱材を貼ることにより、熱が遮断されるため、一次空気層の温度よりも二次空気層の温度は下がるため、屋根裏の二次空気層よりの幅射熱を室内の人間が受ける事が大きく減少し、室内に対する屋根からの熱エネルギーを減ずる。
又、換気扇により排気するのであるが、吸気孔より外気が入ってくるので排気ができる。この時、木材の湿気など除去するとともに、木材等の腐りの原因である蒸れを防ぐ効果がある。
新築・既存の建物を問わずこの屋根裏換気システムをつければ、屋根からの膨大な熱エネルギーの侵入を防ぎ、２階であっても、快適に住めるようになり、冷房や暖房という大きなエネルギーの節約になる屋根裏換気システム。
【背景技術】
【０００２】  屋根裏の空気を屋外に出す換気扇は既にあります。
しかし、屋根裏の温度は高く、天井裏の断熱材、グラスウールなどが使用されている。その断熱材の中に高い温度が入っているので、夜になっても、その断熱材の中に高い温度の空気を持っている限り、幅射熱を出し続けるので、室内の人間には冷房されている部屋であっても幅射熱で熱く感ずる。
更に、屋根裏換気口は、高温多湿の日本では必ず取り付ける必要があるが、ほとんどの住宅が台風などによる雨漏れを恐れ建設業者が有効なる換気口を取付けていないのが現状。しかも地球は温暖化になってきているという事実を知っていてもです。
【発明が解決しようとする課題】
【０００３】  本発明は、上述した課題に対応するために創作したものでもあって、その目的とする処は、屋根裏を断熱材で二重の層にし、一次空気層の熱気を換気扇により排出させ、温度を下げることです。二次空気層は断熱材で分離されているので、温度上昇は少ない。よって二次空気層である天井裏からの居室への幅射熱は少ない。快適な室内環境を維持する屋根裏換気システムを提供することにある。
【課題を解決するための手段】
【０００４】  上記目的を達成するための手段としての本発明の屋根裏換気システムの１例を示せば屋根の最下部（軒天や面戸）に空気の吸気孔を配し、屋根裏の屋根タルキの下には断熱材を貼り、棟部には、棟の左右の次の母屋との間にタルキを渡し、その下に断熱材を貼り、熱せられた空気が集まるスペースとし、その最上部よりダクトを通して換気扇で熱せられた空気を引き出し屋外に排気する。この時、屋根裏は二つの層となる。一次空気層は屋根で熱せられた空気を屋外に換気扇で排出することにより、吸気孔から外気が入るため、温度上昇を防ぐ動きをする。更に断熱材の下の二次空気層は、断熱材により熱が遮断されている。更に、一次空気層の方が換気扇により負圧になっているので、熱せられた空気が入ってこないし、むしろ二次空気層は一次空気層にひっぱられる結果となる。よって、屋根裏にもかかわらず低い温度となる、を構成している。
【作用】
【０００５】  本発明の屋根裏換気システムは、屋根裏の一次空気層の棟の温度センサー（又は手動タイマー付き）で換気扇が作動する。換気扇が作動すると吸気孔から空気が入り、そこに、空気の流れが発生する。太陽熱による、屋根の温度上昇は、この空気の流れにより、温度上昇は下げられる、かつ、二次空気層との間には断熱材が設置されているので、断熱材と居室の天井との間の屋根裏の温度上昇を抑える。よって、居室に人間がいても幅射熱を感じない。よって室内は快適空間となる。又、屋根裏の温度降下により冷房負荷は大きく減少されることになる。
【０００６】  屋根裏を一次・二次空気層に分けることにより、一次空気層の容積が小さくなり、換気扇の容量や電気エネルギーも少なく出来る。
【０００７】  ここで屋根裏の空気の流れは、木材に新鮮空気を供給し、蒸れをなくし、湿度除去してくれるので、木材を乾燥状態に維持する。これは木材の強度を落とさない事にもつながり、地震対策にもなるものと考えられます。又、屋根裏（二次空気層）に人間が入っていっても、あの高温でムッとする暑さはありません。断熱されているのと、二次空気も少し換気扇で引かれているからです。このような相乗効果もある。
【実施例】
【０００８】  以下図面を参照しながら、本発明を具体化した実施例について説明する。ここに図１は、２階建住宅の立面図であり、屋根裏は、１階の屋根裏と２階の屋根裏がある。図２は図１の２階屋根裏部分の実施例の拡大立面図、図３は平面図である。【０００９】  本実施例の屋根裏換気システムは、屋根をもつ居室の居住空間への太陽熱エネルギーの排除を具体化した屋根裏換気システムである。概略すると、屋根裏を一次空気層と二次空気層に分ける断熱材１と、棟部分に集まった熱せられた空気を屋外に排出するダクト付換気扇２と、換気扇が排気をはじめると、外部より新鮮空気が入ってくるための吸気孔３の部分より構成されている。【００１０】  断熱材１は、屋根裏を一次空気層、二次空気層に分離させるための仕切壁の役目をもつものであって、通常、板状の断熱材（無機質材のものもある）を使用。屋根裏が二つに分離されるため、一次空気層の体積が小さくなる。それは、換気扇の能力を下げることにつながる。かつ、棟の空気溜りへの吸気孔からの新鮮空気供給がより有効となる。これが一次空気層の、空気の流れである。一方二次空気層は一次空気層の熱排気により、断熱材の仕切りの効率は、高くなり、二次空気層の温度は下がり、居室への幅射熱がなくなっている。【００１１】  ダクト付換気扇２は、棟部の熱溜りの空気を給気ダクト、換気扇、そして排気ダクト通し屋外に排出する。このとき、温度センサーで一次側の温度をキャッチし可動、又は、手動にて可動できるコントロールＢＯＸに連携されている。そして、換気扇は温度が低い二次空気層側に、防振防音を考えて取り付ける。この換気扇が始動すると、吸気孔３から新鮮な空気が入ってくるから排気出来るのである。ダクトを使用することで、屋根形状に関係なく排気出来る。【００１２】  吸気孔３は、軒天又は、面戸板等の場所に屋根裏の空気のよどみがないように取付けるが、そこは屋根の最下部に位置する。ファンで吸引される力と上昇気流を活用することになる。防火区域などでは、それぞれ対応する。【００１３】  そして、屋根裏換気システムの断熱材１、ダクトと換気扇２、および、給気孔３は、通常、次のような仕様とされている。断熱材は、材質により厚さが異なるが（断熱出来るように選択される）９１０ｍ／ｍ×１８２０ｍ／ｍ×３０〜６０ｍ／ｍの板状で、屋根タルキの下に図２のように貼り、屋根裏の空間は一次空気層と二次空気層とに区分される。ダクト付き換気扇２は、この一次空気層の熱溜りよりダクト３００φで換気扇２５０ｍ／ｍで吸引され排気ダクトを通り、吹き出し口より屋外に排出される。このとき換気扇が始動すると、吸気孔３より外気が入ってくるが一次空気層の屋根全体を外気が通過するように吸気孔は配置されている。【００１４】  次に、本実施例の屋根裏換気システムの使用方法について説明するとまず、自動運転の場合、屋根裏の温度上昇が３５℃を超えると、換気扇が始動し始めるが、温度が低下し、３０℃で切れるように設定されている。運転時はコントロールＢＯＸに運転表示ランプが点灯する。【００１５】  この場合、換気扇が運転を始めると、最高位（棟）の位置にある温度の高い空気を排気し始めると、おのずと吸気孔から新鮮空気（外気）が入ってくる��屋根裏の一次空気層の温度を低下させることは屋根本体の焼け込みを防ぎ温度を低下させる。この事は、一次空気層と二次空気層を仕切る断熱材とで、より一層の温度遮断の効率を高めることになる。このことは、屋根の熱エネルギーの居室への侵入を少なくし、快適に過ごせるように出来るとともに、クーラーを使用しても、その負荷は小さくて済む。【００１６】  なお、本発明は上述した実施例に限定されるものではなく、本発明の要旨を変形しない範囲内で実施出来る構成を含む上述した実施例においては、ファンが１台の場合で説明したが、一次空気側が大容量になれば、必要に応じて（例えば２台〜３台）とした構成としても良い。
【発明の効果】
【００１７】  以上の説明により、明らかなように、本発明の屋根裏換気システムによれば、屋根裏を断熱材で一次空気層と二次空気層に分離するため、ファンの能力を小さくすることが出来、かつファンによる空気の流れは一次側の焼け込みを防ぐということは温度が下がるということでもある。なおかつ、断熱材の効果を上げることになる。
この屋根裏換気システムには、建物の形が入母屋、寄せ棟、切妻等、あらゆる型式の建物に対しても対応出来ることである。屋根からの熱エネルギーは、冷房負荷エネルギーに大きな損失である。このエネルギーを減少することが出来、かつ、快適な住まいにする効果を有する。
【図面の簡単な説明】
【図１】    二階建て屋根裏を示す立面図である。
【図２】    図１の２階の屋根裏の拡大図で本発明の実施例である。
【図３】    図２の平面図である。
【符号の説明】
１．・・・断熱材      ２．・・・換気扇    ３．・・・吸気孔（軒天）
４．・・・面戸（タルキとタルキの間）      ５．・・・吸気ダクト
６．・・・排気ダクト  ７．・・・排気口（シャッター付など）
８．一次空気層        ９．・・・二次空気層
【図１】
2010014394.tif 000003
【図２】
2010014394.tif 000004
【図３】
2010014394.tif 000005